(57)【特許請求の範囲】
【請求項１】
本体と、
開放状態及び閉塞状態をもたらすよう前記本体と旋回的に接続されるカバーと、
該カバーに埋設されるパネルセットと、
前記カバーの内側に設けられるスイッチモジュールとを含み、
前記パネルセットは、
キーパッドモジュールと、
ロックモジュールとを含み、
前記開放状態と前記閉塞状態との間の切換えは、前記キーパッドモジュール又は前記ロックモジュールのいずれかを操作することによって行われ、
前記スイッチモジュールは、
プレートと、
該プレート上に摺動可能に設けられる第１の摺動片と、
前記プレート上に回転可能に設けられる一対の回転片と、
引込可能な遮断区画を含むソレノイドスイッチとを含み、
前記遮断区画は、その非引込位置において前記閉塞状態の下で前記第１の摺動片と係合し、その引込位置において前記開放状態の下で前記第１の摺動片から分離される、
箱。
【請求項２】
前記パネルセットは、開口を備えて構成され、
前記パネルセットは、
前記開口の２つの側部に位置付けられる実質的に平行な一対の案内トラックと、
該一対の案内トラックに従って所定方向に沿って摺動するよう制約されて、前記開口内に収容される、ボタンとを更に含む、
請求項１に記載の箱。
【請求項３】
前記第１の摺動片は、前記開放状態と前記閉塞状態との間で当該箱を切り換えるために前記ボタンと協働する押片を含む、請求項２に記載の箱。
【請求項４】
前記プレートは、前記遮断区画を位置決めするための位置決め片を更に含む、請求項１に記載の箱。
【請求項５】
前記位置決め片は、非磁化材料を含む、請求項４に記載の箱。
【請求項６】
前記第１の摺動片上に摺動可能に設けられる第２の摺動片を更に含む、請求項１に記載の箱。
【請求項７】
前記第２の摺動片は、前記開放状態と前記閉塞状態との間で当該箱を切り換えるために前記ロックモジュールと協働する押片を含む、請求項６に記載の箱。
【請求項８】
前記ロックモジュールを移動可能に覆う隠蔽カバーを更に含む、請求項１に記載の箱。
【請求項９】
前記キーパッドモジュール付近に回路板を更に含み、該回路板は、前記キーパッドモジュール及び前記ソレノイドスイッチと電気的に接続される、請求項１に記載の箱。
【発明の詳細な説明】
【技術分野】
【０００１】
本発明は貴重品管理金庫（セーフティボックス）に関し、より具体的には、電子鍵箱（キーボックス）に関する。
【背景技術】
【０００２】
従来的な貴重品管理金庫は主として機械的手段によって施錠され、使用者によって携帯される鍵（キー）によって貴重品管理金庫を開放し得るだけである。更に、電子パスワードによって施錠される電子貴重品管理金庫に関しては、番号鍵を押すことによって貴重品管理金庫を開放し得るよう、自分自身が設定したパスワードを使用者が記憶することが必要である。
【発明の概要】
【発明が解決しようとする課題】
【０００３】
利用の柔軟性を最適化するために、電子パスワード及び機械的施錠の二重機能をもたらす電子鍵箱を提供することが本発明の目的である。
【０００４】
安全性及び審美効果の両方をもたらすために、機械的錠を使用しないときに機械錠の鍵穴を覆う電子鍵箱を提供することが本発明の他の目的である。
【課題を解決するための手段】
【０００５】
上記目的を達成するために、本発明は、本体と、開放状態及び閉塞状態をもたらすよう本体と旋回的に接続されるカバーと、カバー上に埋設されるパネルセットとを含み、パネルセットは、キーパッドモジュールと、ロックモジュールとを含む鍵箱を提供し、キーパッドモジュール又はロックモジュールのいずれかを操作することによって開放状態と閉塞状態とを切り換え得る。
【０００６】
本発明の鍵箱は、カバーの内側に設けられるスイッチモジュールを更に含む。スイッチモジュールは、プレートと、プレート上に摺動可能に設けられる摺動片と、プレート上に回転可能に設けられる一対の回転片と、閉塞状態の下で摺動片を遮断し且つ開放状態の下で摺動片から分離される遮断区画を含むソレノイドスイッチとを含む。
【０００７】
本発明の鍵箱によれば、摺動片は、開放状態と閉塞状態との間で鍵箱を切り換えるためにキーパッドモジュールと協働する押片を含む。
【０００８】
本発明の鍵箱によれば、パネルセットは、一対の実質的に平行な案内トラックをその２つの側部に含む開口と、開口内に収容され、案内トラックに従って所定方向に沿って摺動するよう制約されるボタンとを含む。
【０００９】
本発明の鍵箱によれば、プレートは、遮断区画を位置決めするための位置決め片を更に含む。
【００１０】
本発明の鍵箱によれば、位置決め片は、非磁化材料を含む。
【００１１】
本発明の鍵箱によれば、他の摺動片が更に含められ、且つ、摺動片上に摺動可能に設けられる。
【００１２】
本発明の鍵箱によれば、他の摺動片は、開放状態と閉塞状態との間で鍵箱を切り換えるためにロックモジュールと協働する押片を含む。
【００１３】
本発明の鍵箱によれば、ロックモジュールを移動可能に覆うために、隠蔽カバーが更に含められる。
【００１４】
本発明の鍵箱によれば、回路板がキーパッドモジュール付近に更に含められ、且つ、キーパッドモジュール及びソレノイドスイッチと電気的に接続される。
【００１５】
付属の図面は本発明の更なる理解をもたらすために含められ、この明細書に組み込まれ、且つ、この明細書の一部を構成する。図面は本発明の実施態様を例示し、記載と共に、本発明の原理を説明する働きをする。
【図面の簡単な説明】
【００１６】
【図１】本発明の好適実施態様に従った鍵箱を示す斜視図である。
【図２】図１の鍵箱を示す上面図である。
【図３】図１の鍵箱を示す側面図である。
【図４】パネルセットを示す正面図である。
【図５】パネルセットを示す背面図である。
【図６】スイッチモジュールを示す斜視図である。
【図７】スイッチモジュールを示す正面図である。
【図８】スイッチモジュールを示す部分拡大図である。
【発明を実施するための形態】
【００１７】
図１、図２、及び、図３は、本発明の好適実施態様に従った電子鍵箱の斜視図、上面図、及び、側面図をそれぞれ示している。図１乃至３を参照すると、本発明の好適実施態様に従った電子鍵箱は、中空の本体１と、カバー２と、ピボット３と、パネルセット４と、ハンドル５とを含む。カバー２が本体１に対して閉塞状態又は開放状態になることを可能にするよう、カバー２はピボット３を介して本体１に旋回的に接続される。閉塞状態の下で、望ましくない覗き見及び金庫の内容物の望ましくない獲得の危険性を防止するために、カバー２は本体１と密接して係合される。よって、カバー２の形状は、本体１の幾何学的形状と必要的に合致するよう形成される。更に、剛的で耐性のあるカバー２及び本体１は、金属又はプラスチック鋼のような強力な材料によって概ね形成される。
【００１８】
図１乃至３を参照すると、カバー２が本体１に対して閉塞されるときに、使用者が鍵箱を移動し或いは運び得るよう、ハンドル５は本体１に取り付けられ、使用者による把持を許容する。更に、カバー２の一方の側でカバー２に埋設されるパネルセット４は、使用者が鍵箱を開放又は閉塞するのを可能にするよう、キーパッドと錠（ロック）とを含む。キーパッド及び錠を以下に記載する。
【００１９】
図４及び５は、パネルセット４の正面図及び背面図をそれぞれ示している。図示されるように、パネルセット４は、キーパッドモジュール４０と、ロックモジュール４１と、ソレノイド弁４８と、ボタン４４とを含む。キーモジュール４０は、０〜９の数字ボタンと、「＊」及び「＃」の記号鍵とを含み、回路板４３に電気的に接続される。使用者がキーパッドモジュール４０の番号鍵又は記号鍵を押すときに、回路板４３が対応する電子信号を受信するのを容易化するよう、回路板４３は、好ましくは、キーパッドモジュール４０の背面側に密接して設けられる。ロックモジュール４１は、後に記載するフック区画４７を含む。パネルセット４は、ボタン４４が所定方向に沿って案内トラック４６Ａ及び４６Ｂの制約に従って摺動可能であるよう、開口４５と、ボタン４４を収容する開口４５の内側の（図５に示されるような）一対の案内トラック４６Ａ及び４６Ｂとを更に含む。
【００２０】
図６及び７は、スイッチモジュールの斜視図及正面図をそれぞれ示している。スイッチモジュールは、カバー２の後側に設けられ、パネルセット４のキーパッドモジュール４０及びロックモジュール４１と協働するための機械的構造である。図８は、スイッチモジュールの詳細を描写する部分拡大図を示している。図６乃至８を参照すると、スイッチモジュールの全ての構成部品は、プレート６０上に設けられ、スイッチモジュールは、ボタン摺動片６２と、ロック摺動片６４と、一対の回転片６６Ａ及び６６Ｂと、ソレノイドスイッチ６８とを含む。
【００２１】
回転片６６Ａ及び６６Ｂは、それらの間の一定距離で離間しており、リベット６６１Ａ／６６２Ａ及び６６１Ｂ／６６２Ｂを介してプレート６０上にそれぞれ回転可能に設けられる。回転片６６Ａ及び６６Ｂは、弓形開口６６３Ａ及び６６３Ｂをそれぞれ含む。リベット６６２Ａ及び６６２Ｂは弓形開口６６３Ａ及び６６３Ｂと協働するので、回転片６６Ａ及び６６Ｂがそれらの軸としてのリベット６６１Ａ及び６６１Ｂの周りでそれぞれ回転するとき、回転片６６Ａ及び６６Ｂは、閉塞位置又は開放位置で回転することが可能にされる。図８を参照すると、回転片６６Ａ及び６６Ｂは、閉塞状態の下にある。回転片６６Ａ及び６６Ｂは、バネ７０を用いてより緊密に連結される。外力が鍵箱に加えられないとき、回転片６６Ａ及び６６Ｂは、リベット６６２Ａ及び６６２Ｂと協働するバネを用いて閉塞位置に位置する。
【００２２】
ボタン摺動片６２をプレート６０上に摺動可能に設け、ロック摺動片６４をボタン摺動片６２上に摺動可能に設け得る。換言すれば、ロック摺動片６４はボタン摺動片６２上に重ね合わされ、両者はリベット６４４を介してプレート６０上に設けられる。ロック摺動片６４及びボタン摺動片６２は、それぞれの開口に対応する。図８に示されるように、ロック摺動片６４が閉塞位置又は開放位置で摺動することが許容されるよう、リベット６４４は、ロック摺動片６４の開口６４５と協働する。同様に、ボタン摺動片６２が閉塞位置又は開放位置で摺動することが許容されるよう、ボタン摺動片６２も開口（図示せず）に対応し且つリベット６４４と協働する。本発明のある実施態様によれば、ボタン摺動片６２は、同時に摺動するようロック摺動片６４を作動する。しかしながら、ボタン摺動片６２は、ロック摺動片６４の摺動によって摺動するよう作動されない。
【００２３】
図８を参照すると、ロック摺動片６４は、その２つの側部に、ストリップ区画６４２Ａ及び６４２Ｂを含む。ストリップ区画６４２Ａ及び６４２Ｂは、回転片６６Ａの突出部分６６４Ａ及び回転片６６Ｂの突出部分６６４Ｂにそれぞれ当接し、ストリップ区画６４２Ｂは、ソレノイドスイッチ６８付近の端部に裂け目６４３を含む。更に、ロック摺動片６４は、回転片６６Ａ及び６６Ｂ付近でその一端部から垂直に延びる押片６４１を含む。使用者が鍵を用いて箱を開放するとき、ロック摺動片６４が回転プレート６６Ａの突出部分６６４Ａ及び回転プレート６６Ｂの突出部分６６４Ｂにそれぞれ力を加えるよう、ロックモジュール４１のフック区画４７は、押片６４１に力を押し付ける。従って、回転片６６Ａ及び６６Ｂは回転されて変形し、バネ７０を拡張して箱を開放する。使用者が鍵を用いて箱を閉塞するとき、フックモジュール４１のフック区画４７は、押片６４１から分離される。バネの復元力の故に、ロック摺動片６４は、回転プレート６６Ａの突出部分６６４Ａ及び回転プレート６６Ｂの突出部分６６４Ｂによって回転片６６Ａ及び６６Ｂから離れる方向に押され、閉塞位置に戻る。
【００２４】
ボタン摺動片６２は、回転片６６Ａ及び６６Ｂの端部にそれぞれ当接するために、その２つの側部に突出部分６２２Ａ及び６２２Ｂを含む。ボタン摺動片６２は、回転片６６Ａ及び６６Ｂ付近でその一端部から垂直に延びる押片６２１を含む。使用者がボタン４４を押すことによって箱を開放するとき、ボタン摺動片６２が回転片６６Ａ及び６６Ｂの一端部にそれぞれ力を加えるよう、ボタンは押片６２１に力を押し付ける。従って、回転片６６Ａ及び６６Ｂは回転されて変形し、バネ７０を拡張して箱を開放する。ボタン４４が使用者によって押されないとき、バネ７０の復元力の故に、ボタン摺動片６２は回転片６６Ａ及び６６Ｂによって回転片６６Ａ及び６６Ｂから離れる方向に押され、閉塞位置に戻る。本発明によれば、ボタン摺動片６２は、ソレノイドスイッチ６８付近の１つの側部に長いストリップ区画６２３を更に含む。ボタン摺動片６２が回転して開放位置から閉塞位置に戻るよう、バネ７２が長いストリップ区画６２３とプレート６０の突出部分６０１との間に設けられ、バネ７０と協働する。
【００２５】
ソレノイドスイッチ６８は、ボタン摺動片６２付近のソレノイドスイッチ６８の１つの側部から延びる遮断区画６８１を含む。更に、ソレノイドスイッチ６８は、回路板４３に電気的に接続され、回路板４３上の回路によって制御される。使用者によって入力されるパスワードが正しいとき、ソレノイドスイッチ６８は、回路板４３上の回路の制御を介して、遮断区画６８１を内向きに引っ込める。鍵箱が閉塞状態の下にあるとき、ソレノイドスイッチ６８の遮断区画６８１は、ボタン摺動片６２の長いストリップ区画６２３を遮断する。この地点では、ボタン４４が使用者によって押されるときでさえ、ボタン摺動片６２は不動のままである。使用者によって入力されるパスワードが正しいときにのみ、ソレノイドスイッチ６８は遮断区画６８１を内向きに引っ込める。この地点では、押片６２１に力を加えるようボタン４４を押すことによって、ボタン摺動片６２は、回転片６６Ａ及び６６Ｂの一端部に力をそれぞれ加えるよう、突出部分６２２Ａ及び６２２Ｂを介して摺動することが可能とされる。従って、回転片６６Ａ及び６６Ｂは回転されて変形し、バネ７０を拡張して箱を開放する。
【００２６】
遮断区画６８１と協働するために、プレート６０は、位置決めのための位置決め片６８２を含む。更に、ソレノイドスイッチ６８の遮断区画６８１が電気的に接続された後の磁化に起因して電気が切断されるときに、遮断区画６８１がその元の位置に復元し損ない得るという欠点を防止するために、位置決め片６８２を非磁化材料で作製し、或いは、位置決め片６８２を非磁化材料で覆い得る。好ましくは、遮断区画６８１の位置復帰故障の問題を防止するために、位置決め片６８２はプラスチック製であってよく、或いは、位置決め片６８２の周りをプラスチック片で取り囲み得る。
【００２７】
本発明の鍵箱のロックモジュール４１を用いるならば、使用者がパスワードを忘れ、キーパッドモジュール４０を通じて鍵箱を開放し得ない事態において、使用者は依然として代替的な解決策として鍵を用いて鍵箱を開放し得る。代替的な解決策を達成するために、ロック摺動片６４のストリップ区画６４２Ｂは、裂け目６４３を含み、裂け目は、ソレノイドスイッチ６８の遮断区画６８１との如何なる接触をも避けるのに十分な幅を有する。ロックモジュール４１を備える鍵箱の開放は、殆どの時に利用されない代替的な解決策であるので、ロックモジュール４１が使用されないときに、安全性及び審美性の観点からロックモジュール４１を覆うために、隠蔽カバー４２が設けられる。使用者がロックモジュール４１を開放する必要があるときには、摺動によって隠蔽カバー４２を移動して、ロックモジュール４１の鍵穴を現わし、使用者が鍵を挿入することを可能にし得る。
【００２８】
従って、本発明の鍵箱は、利用の柔軟性を最適化するよう、電子錠及び機械錠の二重機能をもたらす。更に、機械錠が使用されないときには、安全性及び審美効果を更にもたらすよう、機械錠の鍵穴は覆われる。
【００２９】
本発明は現時点で最も実用的且つ好適な実施態様であると考えられるものに関して記載されたが、本発明は上述の実施態様に必ずしも限定されないことが理解されるべきである。逆に、最広義の解釈と合致するよう付属の請求項の精神及び範囲内に含まれる全ての変更及び類似構成を包含するよう、そのような様々な変更及び類似構成をカバーすることが意図されている。
【符号の説明】
【００３０】
１        本体（body）
２        カバー（cover）
３        ピボット（pivot）
４        パネルセット（panel  set）
５        ハンドル（handle）
４０      キーパッドモジュール（keypad  module）
４１      ロックモジュール（lock  module）
４２      隠蔽カバー（concealing  cover）
４３      回路板（circuit  board）
４４      ボタン（button）
４５      開口（opening）
４６Ａ    案内トラック（guiding  track）
４６Ｂ    案内トラック（guiding  track）
４７      フック区画（hook  section）
６０      プレート（plate）
６２      ボタン摺動片（button  sliding  piece）
６４      ロック摺動片（lock  sliding  piece）
６６Ａ    回転片（rotating  piece）
６６Ｂ    回転片（rotating  piece）
６８      ソレノイドスイッチ（solenoid  switch）
７０      バネ（spring）
７２      バネ（spring）
６２２Ａ  突出部分（projecting  portion）
６２２Ｂ  突出部分（projecting  portion）
６２３    長いストリップ区画（long  strip  section）
６４１    押片（push  piece）
６４２Ａ  ストリップ区画（strip  section）
６４２Ｂ  ストリップ区画（strip  section）
６４３    裂け目（breach）
６４４    リベット（rivet）
６４５    開口（opening）
６６１Ａ  リベット（rivet）
６６１Ｂ  リベット（rivet）
６６２Ａ  リベット（rivet）
６６２Ｂ  リベット（rivet）
６６３Ａ  弓形開口（arched  opening）
６６３Ｂ  弓形開口（arched  opening）
６６４Ａ  突出部分（projecting  portion）
６６４Ｂ  突出部分（projecting  portion）
６８１    遮断区画（blocking  section）
６８２    位置決め片（positioning  piece）
【図１】
0005584183.tif 000002
【図２】
0005584183.tif 000003
【図３】
0005584183.tif 000004
【図４】
0005584183.tif 000005
【図５】
0005584183.tif 000006
【図６】
0005584183.tif 000007
【図７】
0005584183.tif 000008
【図８】
0005584183.tif 000009